(57)【要約】【課題】安全性を確保しつつ、ガスの供給を適切に遮断できるガスメータを提供する。【解決手段】ガスメータ１０は、流路１３内を流れるガスの流量を計測する計測部２０と、前記流路１３に接続するガス器具のうち特定ガス器具の稼働を前記流量に基づいて判定する稼働判定部３１と、稼働している前記ガス器具の使用流量のうち最大流量を監視対象であるとして、前記監視対象の前記最大流量が前記特定ガス器具の流量区分に対応するか判定する対象判定部３２と、前記監視対象の前記最大流量の継続使用時間が、前記最大流量に対応する前記流量区分に設定された使用制限時間に達したときに、前記流路１３を遮断する遮断機能を、前記流量区分毎に設定する設定部３３と、を備え、前記設定部３３は、前記特定ガス器具が稼働し、且つ、前記監視対象の前記最大流量が前記特定ガス器具の前記流量区分に対応する場合、当該流量区分の前記遮断機能を無効に設定する。【選択図】図１
2020193947.tif 000002
【特許請求の範囲】
【請求項１】
流路内を流れるガスの流量を計測する計測部と、
前記流路に接続するガス器具のうち特定ガス器具の稼働を前記流量に基づいて判定する稼働判定部と、
稼働している前記ガス器具の使用流量のうち最大流量を監視対象であるとして、前記監視対象の前記最大流量が前記特定ガス器具の流量区分に対応するか判定する対象判定部と、
前記監視対象の前記最大流量の継続使用時間が、前記最大流量に対応する前記流量区分に設定された使用制限時間に達したときに、前記流路を遮断する遮断機能を、前記流量区分毎に設定する設定部と、を備え、
前記設定部は、前記特定ガス器具が稼働し、且つ、前記監視対象の前記最大流量が前記特定ガス器具の前記流量区分に対応する場合、当該流量区分の前記遮断機能を無効に設定するように構成されている、ガスメータ。
【請求項２】
前記設定部は、前記特定ガス器具が稼働していない場合、前記特定ガス器具の前記流量区分の前記遮断機能を有効に設定するように構成されている、請求項１に記載のガスメータ。
【請求項３】
前記設定部は、前記監視対象の前記最大流量が前記特定ガス器具の前記流量区分に対応しない場合、前記最大流量に対応する前記流量区分の前記遮断機能を有効に設定するように構成されている、請求項１又は２に記載のガスメータ。
【請求項４】
前記監視対象の前記最大流量が前記特定ガス器具の前記流量区分に対応し、前記特定ガス器具の前記流量区分の前記遮断機能が無効に設定されている場合、前記監視対象の前記最大流量の継続使用時間が、前記最大流量に対応する流量区分に設定された使用制限時間に達したとき、警告をガス管理センタに出力する出力部を備えている、請求項１〜３のいずれか一項に記載のガスメータ。
【発明の詳細な説明】
【技術分野】
【０００１】
本発明は、ガスメータに関する。
【背景技術】
【０００２】
従来、ガスメータとして、例えば、特許文献１のガスメータが知られている。このガスメータでは、ＣＰＵが流路区分毎に使用時間遮断機能を有効又は無効に設定している。
【先行技術文献】
【特許文献】
【０００３】
【特許文献１】特開２０１４−２４０７６４号公報
【発明の概要】
【発明が解決しようとする課題】
【０００４】
例えば、燃料電池等の特定機器では安定的な発電のために継続的なガス供給が求められている。このような特定機器が正常に稼働していても、上記特許文献１のガスメータのように流路区分毎に使用時間遮断機能の有効又は無効を判定すると、特定機器へのガスの供給が使用者の意図に反して遮断されてしまうことがある。
【０００５】
本発明はこのような課題を解決するためになされたものであり、安全性を確保しつつ、ガスの供給を適切に遮断することができるガスメータを提供することを目的としている。
【課題を解決するための手段】
【０００６】
本発明のある態様に係るガスメータは、流路内を流れるガスの流量を計測する計測部と、前記流路に接続するガス器具のうち特定ガス器具の稼働を前記流量に基づいて判定する稼働判定部と、稼働している前記ガス器具の使用流量のうち最大流量を監視対象であるとして、前記監視対象の前記最大流量が前記特定ガス器具の流量区分に対応するか判定する対象判定部と、前記監視対象の前記最大流量の継続使用時間が、前記最大流量に対応する前記流量区分に設定された使用制限時間に達したときに、前記流路を遮断する遮断機能を、前記流量区分毎に設定する設定部と、を備え、前記設定部は、前記特定ガス器具が稼働し、且つ、前記監視対象の前記最大流量が前記特定ガス器具の前記流量区分に対応する場合、当該流量区分の前記遮断機能を無効に設定するように構成されている。
【０００７】
このガスメータでは、前記設定部は、前記特定ガス器具が稼働していない場合、前記特定ガス器具の前記流量区分の前記遮断機能を有効に設定するように構成されていてもよい。
【０００８】
このガスメータでは、前記設定部は、前記監視対象の前記最大流量が前記特定ガス器具の前記流量区分に対応しない場合、前記最大流量に対応する前記流量区分の前記遮断機能を有効に設定するように構成されていてもよい。
【０００９】
このガスメータでは、前記監視対象の前記最大流量が前記特定ガス器具の前記流量区分に対応し、前記特定ガス器具の前記流量区分の前記遮断機能が無効に設定されている場合、前記監視対象の前記最大流量の継続使用時間が、前記最大流量に対応する流量区分に設定された使用制限時間に達したとき、警告をガス管理センタに出力する出力部を備えていてもよい。
【発明の効果】
【００１０】
本発明は、以上の構成を有し、安全性を確保しつつ、ガスの供給を適切に遮断することができるガスメータを提供することができるという効果を奏する。
【００１１】
本発明の上記目的、他の目的、特徴及び利点は、添付図面参照の下、以下の好適な実施態様の詳細な説明から明らかにされる。
【図面の簡単な説明】
【００１２】
【図１】本発明の実施の形態１に係るガスメータの構成を概略的に示す機能ブロック図である。
【図２】図１の計測部により計測されたガスの流量の経時的変化を示すグラフである。
【図３】図１の記憶部に記憶されている器具テーブルである。
【図４】図１の記憶部に記憶されている流量区分テーブルである。
【図５】図１のガスメータの運転方法の一例を示すフローチャートである。
【図６】図１のガスメータの運転方法の一例を示すフローチャートである。
【図７】本発明の変形例３に係るガスメータの運転方法の一例を示すフローチャートである。
【発明を実施するための形態】
【００１３】
以下、本発明の実施の形態を、図面を参照しながら具体的に説明する。なお、以下では全ての図面を通じて同一又は相当する要素には同一の参照符号を付して、その重複する説明を省略する。
【００１４】
（実施の形態１）
＜ガスメータの構成＞
ガスメータ１０は、例えば、ガスメータシステム１１に設けられている。ガスメータシステム１１は、ガスメータ１０に加えて、ガスメータ１０と通信可能なガス管理センタ１７を有している。
【００１５】
ガスメータ１０は、ガスメータシステム１１はガスの流路１３に設けられている。ガスの流路１３は、ガス供給源（図示せず）と消費者の需要家とを繋ぎ、ガス供給源から、需要家に設けられたガス器具にガスを供給する管路である。ガス器具は、例えば、ガスコンロ１４、ガス給湯器１５、燃料電池１６等のガスを消費する機器であって、ガスの流路１３に接続されている。
【００１６】
このガス器具のうち、特定ガス器具としては、例えば、長時間の継続稼働により遮断時間が他の一般ガス器具と異なる等、所定の条件を具備するガス器具であって、予め定められている。以下では、燃料電池１６を特定ガス器具として説明する。
【００１７】
ガスメータ１０は、計測部２０、演算処理部３０、記憶部４０及び遮断部１２を備えている。遮断部１２は、流路１３に設けられており、流路１３を開閉可能な遮断弁を有しており、流路１３を遮断可能である。
【００１８】
計測部２０は、流路１３を単位時間当たりに通過するガスの体積又は質量（（瞬時）流量：Ｌ／ｈ）を計測する流量計であり、例えば、その計測方法に超音波式が採用される。計測部２０は、例えば、０．５秒等の一定時間間隔でガスの流量を計測し、その計測した流量を演算処理部３０及び記憶部４０へ出力する。
【００１９】
記憶部４０は、演算処理部３０からアクセス可能であって、ＲＯＭ及びＲＡＭ等の記憶装置により構成されている。記憶部４０は、計測部２０により計測された流量を記憶する。また、記憶部４０は、ガスメータ１０としての基本プログラム、及び各種固定データ等の情報を記憶している。演算処理部３０が、記憶部４０に記憶された基本プログラム等のソフトウェアを読み出して実行することにより、ガスメータ１０の各部の動作が制御される。
【００２０】
演算処理部３０は、プロセッサ等の演算処理装置により構成されており、稼働判定部３１、対象判定部３２、設定部３３、計時部３４及び出力部３５を有している。なお、演算処理部３０は、集中制御する単独の演算処理装置によって構成されていてもよいし、互いに協働して分散制御する複数の演算処理装置によって構成されていてもよい。
【００２１】
稼働判定部３１は、流路１３に接続するガス器具のうち特定ガス器具の稼働を流量に基づいて判定する。このガスの流量は、計測部２０により計測された流量に基づいた値であればよく、ガスの（瞬時）流量、所定回数分の流量の平均値（平均流量）、並びに、流量又は／及び平均流量の変化量の少なくともいずれか１つを含む。
【００２２】
ガスの流量には、計測部２０から出力された流量、又は、記憶部４０に記憶されている最新のガスの流量が用いられる。平均流量には、計測部２０による流量と所定回数分の記憶部４０の流量との平均値、又は、所定回数分の記憶部４０の流量との平均値が用いられる。なお、平均流量は、ガスの流量の移動平均であってもよい。また、流量変化量には、例えば、流量の差分及び時間変化率が挙げられる。
【００２３】
ここで、ガス器具の種類及び機種によって、稼働開始時のガスの使用流量（消費量）の経時変化、及び、火力調整等の稼働中の制御によるガスの使用流量の経時変化が異なる。このため、例えば、稼働判定部３１は、記憶部４０及び計測部２０の流量から流量変化量を算出し、この流量変化量が、特定ガス器具の稼働によるガスの使用流量に相当する場合、特定ガス器具が稼働していると判定する。なお、ガス器具とその使用流量とは対応付けて記憶部４０に記憶されている。
【００２４】
例えば、燃料電池１６は、ある時間（例えば、１０時間）毎に所定の変動パターンでガスの使用流量を一時的に変動させている。これにより、流路１３からガス器具に供給されるガスの流量が所定の変動パターンで変動する。稼働判定部３１は、算出した流量変化量が所定の閾値を超えると、変動パターンの流量変化が検出されたとして、特定ガス器具が稼働していると判定する。
【００２５】
対象判定部３２は、稼働しているガス器具の使用流量のうち最大流量を監視対象であると判定する。例えば、対象判定部３２は、流量変化量が所定の閾値以上であると、流量変化が生じたと判定し、図３の器具テーブルに更新する。なお、器具テーブルは、記憶部４０に記憶されている。また、この器具テーブルは、図２に示すように流量が変化した場合のものである。
【００２６】
ここで、流量変化量が増加である場合には、ガス器具が稼働したと判定し、器具テーブルに当該流量変化量を当該ガス器具の使用流量として登録する。一方、流量変化量が減少である場合には、ガス器具が停止したと判定し、当該流量変化量に相当する使用流量を器具テーブルから削除する。
【００２７】
このような器具テーブルにおいて、稼働しているガス器具の使用流量が多い順にＱ０から記憶される。対象判定部３２は、器具テーブルにおける使用流量のうち最大流量Ｑ０を、継続使用時間の監視対象とする。
【００２８】
そして、対象判定部３２は、最大流量Ｑ０が、特定ガス器具の流量区分に対応するか否かを判定する。この流量区分は、所定の流量範囲ごとに区切られた種別であって、例えば、図４の流量区分テーブルのように流量範囲と対応付けて設定されている。
【００２９】
ガス器具の使用流量と、流量区分とは予め対応付けられている。例えば、燃料電池１６の使用流量は７０Ｌ／ｈであり、ガスコンロ１４の使用流量は１００Ｌ／ｈである。このため、流量区分テーブルによれば、燃料電池１６及びガスコンロ１４は共に流量区分は２−２である。また、ガス給湯器１５の使用流量は２３０Ｌ／ｈであるため、この流量区分は３に相当する。
【００３０】
このため、図２の例では、時間ｔｎ＋１〜ｔｎ＋２では、最大流量Ｑ０が燃料電池１６の使用流量７０Ｌ／ｈに相当するため、最大流量Ｑ０が特定ガス器具の流量区分に対応すると判定される。また、時間ｔｎ＋２〜では、最大流量Ｑ０がガスコンロ１４の使用流量１００Ｌ／ｈに相当するが、この流量区分は特定ガス器具と同じであるため、最大流量Ｑ０が特定ガス器具の流量区分に対応すると判定される。一方、時間ｔｎ〜ｔｎ＋１では、最大流量Ｑ０がガス給湯器１５の使用流量２３０Ｌ／ｈに相当するため、最大流量Ｑ０が特定ガス器具の流量区分に対応しないと判定される。
【００３１】
設定部３３は、遮断機能を流量区分毎に設定する。この遮断機能は、監視対象の最大流量の継続使用時間が、最大流量に対応する流量区分に設定された使用制限時間に達したときに、流路１３を遮断する機能である。
【００３２】
具体的には、設定部３３は、対象判定部３２により器具テーブルにおける監視対象の最大流量Ｑ０が更新されると、稼働判定部３１の判定結果及び対象判定部３２の判定結果に基づき遮断機能の有効又は無効を設定する。
【００３３】
つまり、特定ガス器具が稼働し、且つ、監視対象の最大流量Ｑ０が特定ガス器具の流量区分に対応する場合、この流量区分の遮断機能は無効に設定される。例えば、上記図２の例のように、時間ｔｎ＋１〜ｔｎ＋２では、燃料電池１６が稼働されていて、最大流量Ｑ０が特定ガス器具の流量区分２−２に対応する。このため、流量区分２−２の遮断機能は無効に設定される。よって、燃料電池１６へのガスの供給が使用者の意図に反して遮断されない。
【００３４】
また、特定ガス器具が稼働していない場合、特定ガス器具の流量区分の遮断機能は有効に設定される。例えば、上記図２の例のように、時間ｔｎ＋２〜では、最大流量Ｑ０がガスコンロ１４の使用流量であるにもかかわらず、最大流量Ｑ０が特定ガス器具の流量区分２−２に対応すると判定されている。しかしながら、特定ガス器具は稼働されていないため、流量区分２−２の遮断機能は有効に設定される。よって、ガスコンロ１４が特定ガス器具と同じ流量区分のような場合であっても、ガスコンロ１４に対しては有効に遮断機能が適用され、安全性が確保される。
【００３５】
さらに、設定部３３は、監視対象の最大流量が特定ガス器具の流量区分に対応しない場合、最大流量に対応する流量区分の遮断機能は有効に設定される。例えば、上記図２の例のように、時間ｔｎ〜ｔｎ＋１では、燃料電池１６が稼働されているが、最大流量Ｑ０がガス給湯器１５の使用流量であって、特定ガス器具の流量区分に対応しない。これにより、最大流量Ｑ０に対応する流量区分３には遮断機能が有効に設定されるため、安全性が確保される。
【００３６】
計時部３４は、監視対象の最大流量Ｑ０の継続使用時間が、最大流量Ｑ０に対応する流量区分に設定された使用制限時間に達したか否かを判定する。例えば、図４の流量区分テーブルように、流量区分と使用制限時間とが対応付けられている。計時部３４は、例えば、器具テーブルにおいて最大流量Ｑ０が更新されると、最大流量Ｑ０に対応する流量区分の使用制限時間を設定する。
【００３７】
なお、図４の例では、使用制限時間は上限値及び下限値による時間範囲で設定されている。このような場合、この時間範囲から所定又は学習等により使用制限時間が定められる。通常、ガスメータ１０は、ガス器具の使用流量及び使用時間等を記憶しておき、このようなガス器具の使用状況に応じて所定の時間範囲から使用制限時間を定める。
【００３８】
また、計時部３４は、流量変化により最大流量Ｑ０が更新されたと、継続使用時間のカウント時間をリセットしてからカウントを開始し、更新からの経過時間を最大流量Ｑ０の継続使用時間としてカウントする。継続使用時間が使用制限時間に達すると、計時部３４は出力要求を生成する。
【００３９】
なお、流量変化が検出されても、その流量変化量が器具テーブルの使用流量のうちの最大値でなければ、最大流量Ｑ０が更新されない。この場合、カウント時間はリセットされず、カウントしている経過時間を継続する。そして、継続使用時間が使用制限時間に達すると、計時部３４は出力要求を生成する。
【００４０】
出力部３５は、出力要求を受け、遮断機能の有効／無効に応じて遮断信号又は警告を出力する。
【００４１】
例えば、特定ガス器具の流量区分の遮断機能が無効に設定されている場合、監視対象の最大流量Ｑ０の継続使用時間が、最大流量Ｑ０に対応する流量区分に設定された使用制限時間に達したとき、出力部３５は警告をガス管理センタ１７に出力する。
【００４２】
上記図２の例では、最大流量Ｑ０が特定ガス器具の流量区分２−２に対応する。このため、計時部３４により、この特定ガス器具の継続使用時間がカウントされ、これが流量区分２−２の使用制限時間に達するか否かが判定される。
【００４３】
ここで、継続使用時間が使用制限時間に達すると判定された場合であっても、流量区分２−２の遮断機能が無効に設定されていると、特定ガス器具への供給が継続される。よって、特定ガス器具の安定的な運転が可能になる。
【００４４】
一方、継続使用時間が使用制限時間に達するとの警告がガス管理センタ１７に出力される。このガス管理センタ１７は、ガスメータ１０と無線通信等が可能であって、複数のガスメータ１０からの情報を収集し、これらに情報に基づいてガスメータ１０を管理している。このため、安全性が確保されている。
【００４５】
また、流量区分２−２の遮断機能が有効に設定されている場合、継続使用時間が使用制限時間に達すると、遮断信号が遮断部１２に出力される。これにより、遮断部１２は、遮断信号を受けて遮断弁により流路１３を遮断する。これにより、ガスの供給が停止され、安全性が確保される。
【００４６】
さらに、特定ガス器具の流量区分２−２以外の流量区分では、遮断機能は有効に設定されている。このため、継続使用時間が使用制限時間に達すると、遮断信号が遮断部１２に出力される。この遮断信号を受けた遮断部１２により、流路１３が遮断されて、安全性が確保される。
【００４７】
＜ガスメータの運転方法＞
ガスメータ１０の運転方法は、図５及び図６に示すように、演算処理部３０により実行される。
【００４８】
まず、図５に示す遮断機能の設定方法について説明する。ここでは、計測部２０がガスの流量を計測して、この流量を稼働判定部３１及び対象判定部３２に出力すると共に、記憶部４０に記憶する（ステップＳ１）。記憶部４０は、流量を計測された順に順次、又は、計測時間等の計測順の情報に関連付けて記憶する。これにより、稼働判定部３１及び対象判定部３２は計測順に従って流量を取得することができる。
【００４９】
稼働判定部３１は、計測部２０により計測された流量に基づき特定ガス器具の稼働を判定する（ステップＳ２）。例えば、稼働判定部３１は、流量変化を検出し、その流量変化がガス器具の使用流量の経時変化に伴う所定の変動パターンに相当していれば、特定ガス器具が稼働していると判定する（ステップＳ２：ＹＥＳ）、そして、遮断機能の有効性を判断するために、ステップＳ３の処理に進む。
【００５０】
一方、稼働判定部３１は、流量変化が所定の変動パターンに相当していなければ、特定ガス器具が稼働していないと判定する（ステップＳ２：ＹＥＳ）。このため、ステップＳ５の処理に進む。ここでは、設定部３３により、特定ガス器具の流量区分の遮断機能を有効にする。これにより、特定ガス器具と同じ流量区分に属する他のガス器具が稼働している場合、この稼働に対しては遮断機能が適用される。よって、安全性が確保される。
【００５１】
ステップＳ３の処理では、対象判定部３２は、監視対象の最大流量Ｑ０が、特定ガス器具の流量区分に対応するか否かを判定する。ここで、最大流量Ｑ０が特定ガス器具の流量区分に対応していれば（ステップＳ３：ＹＥＳ）、ステップＳ４の処理に進む。
【００５２】
ステップＳ４の処理では、設定部３３は、特定ガス器具の流量区分の遮断機能を無効に設定する。これにより、特定ガス器具へのガス供給が不要に遮断されることが防止され、特芸ガス器具の安定運転が維持される。
【００５３】
一方、最大流量Ｑ０が特定ガス器具の流量区分に対応していなければ（ステップＳ３：ＮＯ）、この流量区分以外の流量区分の最大流量Ｑ０が監視対象である。このため、設定部３３は、最大流量に対応する流量区分の遮断機能を有効に設定する（ステップＳ６）。これにより、特定ガス器具の流量区分以外の流量区分において遮断機能が適用されるため、安全性が確保される。
【００５４】
次に、図６に示す遮断機能について説明する。ここでは、計測部２０がガスの流量を計測して、この流量を稼働判定部３１及び対象判定部３２に出力すると共に、記憶部４０に記憶する（ステップＳ１０）。このステップＳ１０の処理は、図５のステップ１の処理に相当してもよい。
【００５５】
対象判定部３２は、ガスの流量変化量を算出し、流量変化量が所定の閾値以上であれば、流量変化があったと判定する（ステップＳ１１：ＹＥＳ）。ここで、流量変化量が所定の閾値未満であれば、流量変化がないとして（ステップＳ１１：ＮＯ）、処理を終了する。
【００５６】
対象判定部３２は、流量変化量をガス器具の使用流量として器具テーブルに登録又は削除し、器具テーブルを更新する（ステップＳ１２）。これにより、器具テーブルにおける最大流量Ｑ０が変更されなければ（ステップＳ１３：ＮＯ）、カウントしている最大流量Ｑ０の継続使用時間を継続する。
【００５７】
一方、器具テーブルにおける最大流量Ｑ０が変更された場合（ステップＳ１３：ＹＥＳ）、この新たな最大流量Ｑ０の継続使用時間をカウントする必要がある。このため、前の最大流量Ｑ０に対する継続使用時間のカウントをリセットして、新たな最大流量Ｑ０の継続使用時間のカウントを開始する（ステップＳ１４）。
【００５８】
カウントした継続使用時間が、最大流量Ｑ０に対応する流量区分の使用制限時間に達すると（ステップＳ１５：ＹＥＳ）、その流量区分の遮断機能の有効性を判定する（ステップＳ１６）。遮断機能が有効であれば（ステップＳ１６：ＹＥＳ）、出力部３５は遮断信号を出力する（ステップＳ１７）。これにより、ガス供給が遮断されるため、安全性が向上する。
【００５９】
一方、遮断機能が無効であれば（ステップＳ１６：ＮＯ）、出力部３５は警告をガス管理センタ１７に出力する（ステップＳ１７）。これにより、安全性が確保される。
【００６０】
＜変形例１＞
変形例１に係るガスメータ１０は、図１に示すように、ガスの使用状況について学習を行う学習部３６をさらに備えていてもよい。学習部３６は、演算処理部３０に設けられている。
【００６１】
例えば、ガスの流量は計測部２０により計測されて、記憶部４０に記憶されている。学習部３６は、この流量をモニタリングし、流量変化量を取得し、流量変化量に対応するガス使用量のガス器具を判定する。例えば、記憶部４０には、ガス使用量とガス器具とが予め対応付けられて記憶されている。
【００６２】
学習部３６は、判定したガス器具が特定ガス器具であれば、この特定ガス器具が需要家に設置されていると判定して、この特定ガス器具を出力部３５に出力する。なお、学習部３６は特定ガス器具を、需要家に設置されているガス器具の情報（設置情報）に記憶してもよい。また、学習部３６は、同じ特定ガス器具のガス使用量に相当する流量変化量が複数回、判定した場合に、特定ガス器具が設定されている判定してもよい。これにより、判定の信頼性が向上する。
【００６３】
出力部３５は、判定された特定ガス器具の設置有り情報を、需要家、ガスメータ１０等の設置場所識別番号と共にガス管理センタ１７に送信する。これにより、ガス管理センタ１７は、特定ガス器具の設置情報を取得することにより、安全性が向上する。なお、ガス管理センタ１７は設置場所識別情報と特定ガス器具の設置有り情報とを設置情報として関連付けて記憶してもよい。
【００６４】
なお、学習部３６は、特定ガス器具のガス使用量に相当する流量変化量を所定期間、検出しない場合、特定ガス器具は設置されていないと判定してもよい。この場合、学習部３６は、この特定ガス器具の設置無し情報を設置場所識別情報と共にガス管理センタ１７に送信してもよい。ガス管理センタ１７は、設置情報から特定ガス器具の設置有り情報を削除してもよいし、設置場所識別情報と特定ガス器具の設置無し情報とを関連付けて設置情報に記憶してもよい。
【００６５】
＜変形例２＞
変形例２に係るガスメータ１０は、特定ガス器具の設置情報をガス管理センタ１７から取得する取得部３７を有している。
【００６６】
例えば、ガス器具の設置及び撤去等の施工業者は、特定ガス器具を需要家に設置又は撤去した場合、特定ガス器具の設置情報をガス管理センタ１７に出力する。
【００６７】
特定ガス器具の設置については設置有り情報、また、特定ガス器具の撤去については設置無し情報が、設置場所識別情報と共に設置情報としてガス管理センタ１７に出力される。この際、設置情報は、携帯電話等の無線通信携帯端末により出力される。
【００６８】
ガス管理センタ１７は、無線通信携帯端末からの特定ガス器具の設置情報を記憶すると共に、設置場所識別情報に基づいて設置情報をガスメータ１０に出力する。これにより、ガスメータ１０の取得部３７は、特定ガスの設置情報を受信し、記憶部４０の設置情報を更新する。
【００６９】
例えば、設置情報が特定ガス器具の設置有り情報であれば、取得部３７は、特定ガス器具が設置されていると記憶する。設置情報が特定ガス器具の設置無し情報であれば、取得部３７は、特定ガス器具が設置されていないと記憶する。
【００７０】
そして、設置情報が特定ガス器具の設置有り情報であれば、特定ガス器具の稼働を監視してもよい。
【００７１】
＜変形例３＞
変形例３に係るガスメータ１０では、設定部３３は、特定ガス器具が設置されており、特定ガス器具が稼働し、且つ、監視対象の最大流量が特定ガス器具の流量区分に対応する場合、当該流量区分の遮断機能を無効に設定する。例えば、需要家、ガスメータ１０又はガス管理センタ１７に特定ガス器具の設置情報が記憶されている。
【００７２】
このようなガスメータ１０は、図７のフローチャートに沿って運転される。図７では、ステップＳ７の処理がステップＳ１とＳ２の処理の間に実行され、ステップＳ７においてＮＯと判定されれば、ステップＳ８の処理が実行される。なお、図７のステップＳ１〜Ｓ６の処理については図５と同様であるため、説明を省略する。
【００７３】
設定部３３は、設置情報に基づいて、特定ガス器具が設置されているか否かを判定する（ステップＳ７）。特定ガス器具が設置されていなければ（ステップＳ７：ＮＯ）、特定ガス器具の流量区分における遮断機能を無効しなくてもよい。このため、設定部３３は、最大流量に対応する流量区分の遮断機能を有効に設定する（ステップＳ８）。これにより、特定ガス器具の流量区分以外の流量区分において遮断機能が適用されるため、安全性が確保される。
【００７４】
一方、特定ガス器具が設置されていれば（ステップＳ７：ＹＥＳ）、ステップＳ２及びＳ３の処理による判定を行う。この結果、特定ガス器具が稼働し（ステップＳ２：ＹＥＳ）、監視対象の最大流量Ｑ０が特定ガス器具の流量区分に対応していれば（ステップＳ３：ＹＥＳ）、特定ガス器具の流量区分の遮断機能を無効に設定する（ステップＳ４）。このように、特定ガス器具の設置情報を用いることにより、ガスの供給をより一層適切に遮断することができる。
【００７５】
なお、上記全実施の形態は、互いに相手を排除しない限り、互いに組み合わせてもよい。上記説明から、当業者にとっては、本発明の多くの改良や他の実施の形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００７６】
本発明のガスメータは、安全性を確保しつつ、安全性を確保しつつ、ガスの供給を適切に遮断することができるガスメータ等として有用である。
【符号の説明】
【００７７】
１０    ：ガスメータ
１３    ：流路
１４    ：ガスコンロ（ガス器具）
１５    ：ガス給湯器（ガス器具）
１６    ：燃料電池（ガス器具、特定ガス器具）
１７    ：ガス管理センタ
２０    ：計測部
３１    ：稼働判定部
３２    ：対象判定部
３３    ：設定部
３５    ：出力部
【図１】
2020193947.tif 000003
【図２】
2020193947.tif 000004
【図３】
2020193947.tif 000005
【図４】
2020193947.tif 000006
【図５】
2020193947.tif 000007
【図６】
2020193947.tif 000008
【図７】
2020193947.tif 000009